(57)【特許請求の範囲】
【請求項１】
ケースの内部にステータとステータに対してギャップを介して対向するロータを備え、ケースに空気導入口を形成し、ロータに遠心ファンを付設したモータであって、空気導入口より導入された空気を遠心ファンに向けて案内する空気案内部材を遠心ファンに隣接させて設け、空気案内部材は頂部に開口を備えたベルマウス状の円錐形状に形成し、上記開口を遠心ファンの内周に略合わせて位置させてなることを特徴とするモータ。
【請求項２】
空気導入口の空気導入方向をロータの軸芯方向にして成ることを特徴とする請求項１記載のモータ。
【請求項３】
空気案内部材に被挟持部を延出し、被挟持部をケースとステータ間に挟持して空気案内部材を保持して成ることを特徴とする請求項１又は請求項２記載のモータ。
【発明の詳細な説明】
【０００１】
【発明の属する技術分野】
本発明は、モータに関し、詳しくは、冷却効率を高めようとする技術に係るものである。
【０００２】
【従来の技術】
従来、図５に示すように、ケース１の内部にステータ２とステータ２に対してギャップＧを介して対向するロータ３を備え、ケース１に空気導入口５を形成し、ロータ３にファン６を付設したモータＡａにあっては、ロータ３の回転にてロータ３に付設した遠心ファンのようなファン６にて空気導入口５より導入された空気をステータ２側のコイル８等に向けて空気の遠心力を利用して吹き付けて冷却を図るものである。
【０００３】
【発明が解決しようとする課題】
ところで、ステータ２とロータ３との間のギャップＧはできるだけ小にしてロータ３の回転効率を高めているのであり、ギャップＧ部分においては殆ど空気を通過させることがなく、ファン６よりの送風に対して圧損が大きく、冷却効率が低いものとなっていた。
【０００４】
そこで、ケース１の外部の回転軸９部分に外部ファン４を取付け、空気導入口５より多量の空気を導入することもおこなわれているが、ケース１の内部にはファン６による風圧が生じていて、空気導入口５よりの空気の導入が阻害され、又、導入した空気をファン６に良好に供給することができず、充分に冷却効率を高めることができないものとなっていた。
【０００５】
本発明はこのような問題を解消しようとするものであり、空気導入口より導入した空気を内部のファンへ良好に供給することができ、冷却効率を高めることができるモータを提供することを課題とする。
【０００６】
【課題を解決するための手段】
請求項１においては、ケース１の内部にステータ２とステータ２に対してギャップＧを介して対向するロータ３を備え、ケース１に空気導入口５を形成し、ロータ３に遠心ファン６ａを付設したモータであって、空気導入口５より導入された空気を遠心ファン６ａに向けて案内する空気案内部材７を遠心ファン６ａに隣接させて設け、空気案内部材７は頂部に開口１０を備えたベルマウス状の円錐形状に形成し、上記開口１０を遠心ファン６ａの内周に略合わせて位置させて成ることを特徴とするものである。
【０００７】
請求項２においては、空気導入口５の空気導入方向をロータ３の軸芯方向にして成ることを特徴とするものである。
【０００８】
請求項３においては、空気案内部材７に被挟持部１６を延出し、被挟持部１６をケース１とステータ２間に挟持して空気案内部材７を保持して成ることを特徴とするものである。
（作用）
請求項１においては、空気導入口５より導入した空気を空気案内部材７にて整然と遠心ファン６ａに供給することができ、内部の遠心ファン６ａにより空気の導入が阻害されることがなく、導入された空気を遠心ファン６ａに連続して供給することができ、冷却効率を高めることができる。また、円錐形状の空気案内部材７より導入した空気を頂部の開口１０より遠心ファン６ａの中心に供給することができ、遠心ファン６ａへの空気の供給が円滑におこなえ、一層、冷却効率を高めることができる。
【０００９】
請求項２においては、遠心ファン６ａ及びベルマウス状の空気案内部材７との組み合わせにより、空気の導入を、一層、円滑におこなえる。
【００１０】
請求項３においては、空気案内部材７の被挟持部１６をケース１とステータ２とで挟持することで、空気案内部材７の取付けを容易におこなえる。
【００１１】
【発明の実施の形態】
〔実施の形態１〕
図１は断面図を示している。
ケース１の中心部の両端に軸受１１，１１を支持し、両軸受１１，１１に回転軸９を回転自在に保持し、回転軸９にはロータ鉄心１２を取付けてロータ３を構成している。ケース１の内周部にコイル８を巻回したステータ鉄心１３を保持してステータ２を構成している。ステータ鉄心１３とロータ鉄心１２間には微少のギャップＧを形成してコイル８への通電によりロータ３を回転させるモータＡを構成している。ギャップＧは少なくて冷却風がステータ２とロータ３との間に流れることができなくなっている。
【００１２】
ケース１の両側部には空気導入口５，５を形成し、外周部には空気導出口１５を形成してあり、ロータ鉄心１２の両側にファン６としての遠心ファン６ａを付設して、空気導入口５より導入した空気を遠心ファン６ａによりコイル８に送風し、空気導出口１５から導出して冷却を図るようにしている。
ケース１の内部の両側には空気案内部材７を設けて空気導入口５から導入された空気を遠心ファン６ａの中心部に向けて案内し、コイル８等の冷却効率を高めるようにしている。以下、詳述する。
【００１３】
空気案内部材７は、例えば、合成樹脂成形品であり、ベルマウス状の円錐形状にしていて、大径側の開口部の周部には保持爪１４を形成し、小径（頂部）側には開口１０を形成している。
しかして、ケース１の空気導入口５の縁部に保持爪１４を係合して空気案内部材７をケース１に取付けていて、空気導入口５より導入された空気を頂部の開口１０から遠心ファン６ａの中心部に円滑に供給するようにしている。
【００１４】
本実施の形態においては、空気導入口５より導入した空気を空気案内部材７にて整然とファン６に供給するのであり、内部の遠心ファン６ａにより空気の導入が阻害されることがなく、導入された空気を遠心ファン６ａに連続して供給するのであり、冷却効率を高めるものである。
ケース１の外部の回転軸９部分には外部ファン４を取付けてあり、回転軸９とともに回転する外部ファン４より外部の空気を積極的に空気導入口５に向けて供給して、遠心ファン６ａに多量の空気を供給して、一層、冷却効率を高めるようにしている。
【００１５】
〔実施の形態２〕
図２は断面図を示している。但し、本実施の形態の基本構成は図１に示す実施の形態と共通であり、共通する部分については同一の符号を付して説明は省略する。
本実施の形態においては、合成樹脂成形品の空気案内部材７にリブ状の被挟持部１６を延出し、被挟持部１６をケース１とステータ２間に挟持して空気案内部材７を保持したものであり、被挟持部１６をケース１とステータ２とで挟持することで、空気案内部材７の取付けを容易におこなえるものである。
【００１６】
〔実施の形態３〕
図３は断面図を示している。但し、本実施の形態の基本構成は図１に示す実施の形態と共通であり、共通する部分については同一の符号を付して説明は省略する。
本実施の形態においては、空気案内部材７をラッパ状に形成したものである。
【００１７】
〔実施の形態４〕
図４は断面図を示している。但し、本実施の形態の基本構成は図１に示す実施の形態と共通であり、共通する部分については同一の符号を付して説明は省略する。
本実施の形態においては、空気案内部材７を椀状に形成したものである。
【００１８】
尚、上述の実施の形態においては、空気案内部材７をケース１の両側に設けたが、一方、好ましくは外部ファン４側にのみ設けてもよいものである。
又、外部ファン４は必要に応じて使用すればよいものである。
【００１９】
【発明の効果】
請求項１においては、ケースの内部にステータとステータに対してギャップを介して対向するロータを備え、ケースに空気導入口を形成し、ロータに遠心ファンを付設したモータであって、空気導入口より導入された空気を遠心ファンに向けて案内する空気案内部材を遠心ファンに隣接させて設けてあるから、空気導入口より導入した空気を空気案内部材にて整然と遠心ファンに供給することができ、内部の遠心ファンにより空気の導入が阻害されることがなく、導入された空気を遠心ファンに連続して供給することができ、冷却効率を高めることができるという利点がある。また、空気案内部材は頂部に開口を備えたベルマウス状の円錐形状に形成し、上記開口を遠心ファンの内周に略合わせて位置させたので、円錐形状の空気案内部材より導入した空気を頂部の開口より遠心ファンの中心に供給することができ、遠心ファンへの空気の供給が円滑におこなえ、一層、冷却効率を高めることができるという利点がある。
【００２１】
請求項２においては、空気導入口の空気導入方向をロータの軸芯方向にしてあから、遠心ファン及びベルマウス状の空気案内部材との組み合わせにより、空気の導入を、一層、円滑におこなえるという利点がある。
請求項３においては、空気案内部材に被挟持部を延出し、被挟持部をケースとステータ間に挟持して空気案内部材を保持しているから、空気案内部材の取付けを容易におこなえるという利点がある。
【図面の簡単な説明】
【図１】本発明の実施の形態１を示す断面図である。
【図２】実施の形態２を示す断面図である。
【図３】実施の形態３を示す断面図である。
【図４】実施の形態４を示す断面図である。
【図５】従来例の断面図である。
【符号の説明】
１    ケース
２    ステータ
３    ロータ
５    空気導入口
６    ファン
７    空気案内部材
１０  開口
【図１】
0003675141.tif 000002
【図２】
0003675141.tif 000003
【図３】
0003675141.tif 000004
【図４】
0003675141.tif 000005
【図５】
0003675141.tif 000006